(57)【要約】【課題】利用者の利便性を向上させること。【解決手段】実施形態のエレベータ登録方法は、入力ステップと、第１の送信ステップと、第１の受信ステップと、割当ステップと、第２の送信ステップと、第２の受信ステップと、表示ステップと、を含む。第１の送信ステップは、登録装置が、入力された行先情報を制御装置に送信する。第１の受信ステップは、制御装置が、行先情報を受信する。割当ステップは、制御装置が、行先情報に基づいて、利用者がセキュリティゲートから行先までの経路が最適となるように、エレベータを利用者に割り当てる。第２の送信ステップは、制御装置が、割り当てたエレベータの識別情報を、登録装置に送信する。表示ステップは、登録装置が、割り当てられたエレベータの識別情報を表示部に表示する。【選択図】図９
2017119555.tif 000002
【特許請求の範囲】
【請求項１】
エレベータが設けられる建物のセキュリティゲートに設けられた登録装置と、利用者に前記エレベータを割り当て、割り当てられた前記エレベータの乗りかごを、前記利用者が待機する階床の乗場へ移動させる制御装置と、を備えたエレベータシステムで実行されるエレベータ登録方法であって、
前記登録装置が、前記利用者の前記建物内の行先に関する行先情報の入力を受け付ける入力ステップと、
前記登録装置が、入力された前記行先情報を前記制御装置に送信する第１の送信ステップと、
前記制御装置が、前記行先情報を受信する第１の受信ステップと、
前記制御装置が、前記行先情報に基づいて、前記利用者が前記セキュリティゲートから前記行先までの経路が最適となるように、前記エレベータを前記利用者に割り当てる割当ステップと、
前記制御装置が、割り当てた前記エレベータの識別情報を、前記登録装置に送信する第２の送信ステップと、
前記登録装置が、前記制御装置から前記行先情報に基づいて割り当てられた前記エレベータの識別情報を受信する第２の受信ステップと、
前記登録装置が、前記割り当てられた前記エレベータの識別情報を表示部に表示する表示ステップと、
を含むエレベータ登録方法。
【請求項２】
前記割当ステップは、前記行先のある行先階における降車位置から前記行先までの距離が最短となる前記エレベータを割り当てる、
請求項１に記載のエレベータ登録方法。
【請求項３】
前記割当ステップは、前記セキュリティゲートに最短の位置の乗り場に移動する前記エレベータを、前記利用者に割り当てる、
請求項１に記載のエレベータ登録方法。
【請求項４】
前記割当ステップは、前記セキュリティゲートから前記行先までの移動距離が最短となる乗り場および降車位置の前記エレベータを、前記利用者に割り当てる、
請求項１に記載のエレベータ登録方法。
【請求項５】
エレベータが設けられる建物のセキュリティゲートに設けられた登録装置と、
利用者に前記エレベータを割り当て、割り当てられた前記エレベータの乗りかごを、前記利用者が待機する階床の乗場へ移動させる制御装置と、を備え、
前記登録装置は、
前記利用者の前記建物内の行先に関する行先情報の入力を受け付ける入力部と、
入力された前記行先情報を前記制御装置に送信し、前記制御装置から前記行先情報に基づいて割り当てられた前記エレベータの識別情報を受信する第１の通信部と、
前記割り当てられた前記エレベータの識別情報を表示する表示部と、
を備え、
前記制御装置は、
前記行先情報に基づいて、前記利用者が前記セキュリティゲートから前記行先までの経路が最適となるように、前記エレベータを前記利用者に割り当てる制御部と、
割り当てた前記エレベータの前記識別情報を、前記登録装置に送信する第２の通信部と、
を備えたエレベータシステム。
【発明の詳細な説明】
【技術分野】
【０００１】
本発明の実施形態は、エレベータ登録方法およびエレベータシステムに関する。
【背景技術】
【０００２】
エレベータシステムでは、利用者が目的の行先階を事前に登録することより、効率的に行先階に乗りかごが到着するようにエレベータを配車し、利用者に配車したエレベータを表示案内する技術が従来から知られている。
【先行技術文献】
【特許文献】
【０００３】
【特許文献１】特開２００６−２９０５４３号公報
【特許文献２】特開２０１４−８５２１９号公報
【発明の概要】
【発明が解決しようとする課題】
【０００４】
このような従来のエレベータシステムでは、より効率的にエレベータを配車するとともに、利用者がそのエレベータが設けられている建物への初めての来訪者や外部からの訪問者の場合でも、行先の場所により容易かつより効率的に到着するようにエレベータを割り当てて、利用者に誘導することで、利用者の利便性を向上させることが望まれている。
【課題を解決するための手段】
【０００５】
実施形態のエレベータ登録方法は、登録装置と制御装置とを備えたエレベータシステムで実行される。登録装置は、エレベータが設けられる建物のセキュリティゲートに設けられる。制御装置は、利用者にエレベータを割り当て、割り当てられたエレベータの乗りかごを、利用者が待機する階床の乗場へ移動させる。エレベータ登録方法は、入力ステップと、第１の送信ステップと、第１の受信ステップと、割当ステップと、第２の送信ステップと、第２の受信ステップと、表示ステップと、を含む。入力ステップは、登録装置が、利用者の建物内の行先に関する行先情報の入力を受け付ける。第１の送信ステップは、登録装置が、入力された行先情報を制御装置に送信する。第１の受信ステップは、制御装置が、行先情報を受信する。割当ステップは、制御装置が、行先情報に基づいて、利用者がセキュリティゲートから行先までの経路が最適となるように、エレベータを利用者に割り当てる。第２の送信ステップは、制御装置が、割り当てたエレベータの識別情報を、登録装置に送信する。第２の受信ステップは、登録装置が、制御装置から行先情報に基づいて割り当てられたエレベータの識別情報を受信する。表示ステップは、登録装置が、割り当てられたエレベータの識別情報を表示部に表示する。
【図面の簡単な説明】
【０００６】
【図１】図１は、実施形態１に係るエレベータシステムの概略構成例を示すブロック図である。
【図２】図２は、実施形態１にかかる建物の１階のフロアマップの一例を示す概略図である。
【図３】図３は、実施形態１の行先登録装置およびセキュリティゲートの外観の一例を示す概略図である。
【図４】図４は、実施形態１にかかる行先登録装置の機能的構成を示すブロック図である。
【図５】図５は、本実施形態１の来場案内の一例を示す図である。
【図６】図６は、本実施形態１の二次元コードに登録されるデータの一例を示す図である。
【図７】図７は、実施形態１にかかる位置データの一例を示す図である。
【図８】図８は、実施形態１において５階のフロアマップの一例を示す図である。
【図９】図９は、実施形態１にかかるエレベータ登録処理の手順の一例を示すフローチャートである。
【図１０】図１０は、実施形態１の変形例の行先階のフロアの一例を示す図である。
【図１１】図１１は、実施形態２のエレベータ登録処理の手順の一例を示すフローチャートである。
【図１２】図１２は、実施形態３において、１階のフロアに５階の行先を重畳表示した一例を示す図である。
【図１３】図１３は、実施形態３のエレベータ登録処理の手順の一例を示すフローチャートである。
【発明を実施するための形態】
【０００７】
図１は、実施形態に係るエレベータシステムの概略構成の一例を示すブロック図である。図２は、実施形態にかかる建物の１階のフロアの一例を示す概略図である。本実施形態のエレベータシステム１は、図１に示すように、行先登録装置１１と、制御装置５０とを備え、３つのエレベータ群３Ａ，３Ｂ，３Ｃを群管理し効率的な運行サービスを行うものである。
【０００８】
エレベータ群３Ａ，３Ｂ，３Ｃは、建物内の図２に示す３つの乗り場の領域（Ａゾーン、Ｂゾーン、Ｃゾーン）に設けられたエレベータ群である。ここでは、エレベータ群３Ａ，３Ｂ，３Ｃのそれぞれは、図２に示すように、Ａ号機からＨ号機までの８個のエレベータ４からなり、複数の乗りかご５がそれぞれ昇降路を昇降することで運行サービスを行う。ここで、エレベータ群３Ａ，３Ｂ，３Ｃを総称する場合には、単にエレベータ群３という。なお、図１では、ＡゾーンとＢゾーンのエレベータ群３のみを示しており、Ａ号機からＤ号機までの４個のエレベータのみを示している。
【０００９】
なお、以下の説明では、エレベータ群３は、Ａ号機からＨ号機の８つのエレベータ４を備えるものとして説明するが、これに限らず、各エレベータ群３が２〜７個のエレベータ、あるいは９個以上のエレベータを備えるように構成してもよい。また、エレベータ群３は、３つとして説明するが、１個、２個あるいは４個以上のエレベータ群３として構成してもよい。また、以下の説明では、Ａ号機からＨ号機の８つのエレベータ４は、特に断りのない限り、単にエレベータ４として説明する。
【００１０】
制御装置５０は、利用者にエレベータ４を割り当て、割り当てられた前記エレベータの乗りかごを、前記利用者が待機する階床の乗場へ移動させるものである。制御装置５０の詳細については後述する。
【００１１】
行先登録装置１１は、建物への来訪者等のエレベータの利用者が、建物内の行先等を登録する装置である。すなわち、行先登録装置１１は、利用者による入力に応じて呼び登録信号を制御装置５０に出力し、いわゆる乗場呼び登録を行うものである。
【００１２】
図３は、実施形態の行先登録装置１１およびセキュリティゲート２２０の外観の一例を示す概略図である。図４は、実施形態にかかる行先登録装置１１の機能的構成を示すブロック図である。
【００１３】
本実施形態の行先登録装置１１は、図３に示すように、セキュリティゲート２２０内に組み込まれて一体構成される。本実施形態のセキュリティゲート２２０は、いわゆるフラッパゲートであり、例えば、このエレベータシステム１が適用される建物の出入口等に設置される。
【００１４】
行先登録装置１１は、図４に示すように、読取部２２１と、表示部２１６と、解析部１０１と、表示制御部１０２と、通信部１０３とを主に備えている。行先登録装置１１は、制御装置５０内の通信部５４と接続される。
【００１５】
読取部２２１は、来訪者が所持する建物への来場案内１９に記載されている二次元コードを読取る。読取部２２１は、図３に示すように、セキュリティゲート２２０から露出して構成される。来場案内１９は、あらかじめ来訪者に対して、行先となる建物内の会社の社員等が発行する書面である。利用者は、図３に示すように、セキュリティゲート２２０を通過する際に、来場案内１９に記載された二次元コードを読取部２２１に読み込ませる。
【００１６】
図５は、本実施形態の来場案内１９の一例を示す図である。図５に示すように、来場案内１９には、行先（図５の例では会社名）およびその行先の階と、二次元コード４０１が記載されている。
【００１７】
二次元コード４０１は、例えば、ＱＲコード（登録商標）、バーコード等である。図６は、本実施形態の二次元コードに登録されるデータの一例を示す図である。本実施形態では、二次元コード４０１は、行先情報と、ゲストＩＤと、発行者アドレスとがコード化されて登録されている。行先情報は、来訪者（利用者）の行先に関する情報であり、行先を特定するための識別情報である行先ＩＤ等が該当する。発行者アドレスは、来訪者に対して来場案内１９を発行した者のメールアドレスである。ゲストＩＤは、発行者が来場案内１９を発行する際に、来訪者に対して割り当てた来訪者の識別情報である。
【００１８】
図４に戻り、解析部１０１は、読取部２２１で読み取られた二次元コードを解析して、行先情報、発行者アドレス、ゲストＩＤを得る。なお、読取部２２１と解析部１０１は、エレベータの利用者である来訪者による行先情報等の入力を受け付ける入力部の一例である。
【００１９】
通信部１０３は、解析部１０１により解析されて得られた、行先情報と発行者アドレスとゲストＩＤとを、呼び登録信号として制御装置５０にネットワークを介して送信する。制御装置５０は、後述するように、受信した呼び登録信号に含まれる行先情報に基づき、利用者に最適なエレベータ４を割当て（配車し）、割り当てたエレベータ４の識別情報である号機の情報を、配車情報として行先登録装置１１に送信する。通信部１０３は、制御装置５０によって利用者に割り当てられたエレベータ４の号機の情報（配車情報）を受信する。通信部１０３は、第１の通信部の一例である。
【００２０】
表示部２１６は、図３に示すように、セキュリティゲート２２０から露出して構成される。表示部２１６は、文字や図形などの種々の情報を画像として表示可能である。表示制御部１０２は、表示部２１６に対する表示を制御する。本実施形態では、表示制御部１０２は、通信部１０３で受信した、利用者に割り当てられたエレベータ４の号機の情報を表示部２１６に表示させる制御を行う。これにより、表示部２１６は、利用者に割り当てられたエレベータ４の号機の情報を表示する。表示部２１６には、例えば、「ＡゾーンのＢ号機」等のように表示される。これにより、利用者は、セキュリティゲート２２０の通過時に、行先に行くのに最適なエレベータ４の号機を表示部２１６の表示で知ることができ、迷わずに指示されたエレベータ４へ向かうことができる。すなわち、利用者は、表示部２１６に表示された号機に対応する扉の前まで移動し、そこで待機するように促がされ、対応した乗りかご５に円滑に乗車することが可能となる。
【００２１】
次に、制御装置５０の詳細について説明する。制御装置５０は、図１に示すように、通信部５４と、制御部５１と、複数の群管理制御装置２と、複数の単体制御装置９と、位置データ５３とを備えている。位置データ５３は、ＨＤＤやＳＳＤ、メモリなどの記憶媒体に保存されている。
【００２２】
各エレベータ４は、それぞれ、乗りかご５、カウンタウェイト６、メインロープ７、巻上機８、単体制御装置９等を含んで構成される。各エレベータ４は、それぞれ、建物に設けられた昇降路を昇降可能な乗りかご５とつり合おもりとしてのカウンタウェイト６とをメインロープ７で連結したいわゆるつるべ式のエレベータである。ここでは、メインロープ７は、昇降路の上部に設けられた巻上機８のメインシーブ８ａやそらせシーブ（不図示）等に掛けられて、一端に乗りかご５が接続され、他端にカウンタウェイト６が接続される。巻上機８は、例えば、動力を発生させる電動機（モータ）８ｂを有し、電動機８ｂが駆動することで、この電動機８ｂに連結されたメインシーブ８ａが回転駆動し、メインシーブ８ａとメインロープ７との間に生じる摩擦力を利用してメインロープ７を電動で巻き上げる。各エレベータ４は、単体制御装置９によって各部の駆動が統括的に制御されて乗りかご５が昇降路内を昇降することで、任意の目的階の乗場に移動することができる。
【００２３】
単体制御装置９は、通常の形式の双方向コモン・バスにより相互に連結されたＣＰＵ（中央演算処理装置）、所定の制御プログラム等を予め記憶しているＲＯＭ（Ｒｅａｄ  Ｏｎｌｙ  Ｍｅｍｏｒｙ）、ＣＰＵの演算結果を一時記憶するＲＡＭ（Ｒａｎｄｏｍ  Ａｃｃｅｓｓ  Ｍｅｍｏｒｙ）、予め用意されたマップデータ、エレベータ４の仕様等の情報を記憶するバックアップＲＡＭ及び入出力ポート装置を有するマイクロコンピュータ及び駆動回路を備えている。単体制御装置９は、種々のセンサ、検出器や巻上機８等のエレベータ４の各部と電気的に接続され、エレベータ４単体の各部の動作を統括的に制御する。
【００２４】
ここで、本実施形態のエレベータシステム１は、例えば、利用者が乗りかご５の外側のセキュリティゲート２２０に配置された登録装置としての行先登録装置１１を介して行先を登録し、これに応じてエレベータ群３を群管理して運行効率の向上を図る乗場行先階登録システム、いわゆるＤＣＳ（Ｄｅｓｔｉｎａｔｉｏｎ  Ｃｏｎｔｒｏｌ  Ｓｙｓｔｅｍ）と呼ばれるシステムである。
【００２５】
複数の群管理制御装置２のそれぞれは、複数のエレベータ群３のそれぞれに対応して設けられている。各群管理制御装置２は、通常の形式の双方向コモン・バスにより相互に連結されたＣＰＵ（中央演算処理装置）、所定の制御プログラム等を予め記憶しているＲＯＭ（Ｒｅａｄ  Ｏｎｌｙ  Ｍｅｍｏｒｙ）、ＣＰＵの演算結果を一時記憶するＲＡＭ（Ｒａｎｄｏｍ  Ａｃｃｅｓｓ  Ｍｅｍｏｒｙ）、予め用意されたマップデータ、エレベータ４の仕様等の情報を記憶するバックアップＲＡＭ及び入出力ポート装置を有するマイクロコンピュータ及び駆動回路を備えている。群管理制御装置２は、複数のエレベータ４の各単体制御装置９と相互に検出信号や駆動信号、制御指令等の情報の通信信号等の授受を行い、エレベータ群３を群管理する。
【００２６】
上述したように、利用者により行先登録装置１１を介して二次元コードの読取り操作が行われた場合に、行先登録装置１１から呼び登録信号が送信される。通信部５４は、行先登録装置１１から呼び登録信号を受信する。また通信部５４は、後述するように制御部５１および群管理制御装置２により決定された、利用者に割り当てたエレベータ４の識別情報である号機を配車情報として、行先登録装置１１に送信する。通信部５４は、第２の通信部の一例である。
【００２７】
制御部５１は、セキュリティゲート２２０から行先までの経路が最適となるように、エレベータ４を利用者に割り当てる。具体的には、制御部５１は、位置データ５３を参照して、呼び登録信号に含まれる行先情報に応じて利用者に最適なエレベータ群３を群管理制御装置２と協働して決定する。本実施形態では、制御部５１は、行先の階の降車位置から行先の位置までの距離が最短となるエレベータ４を利用者に割り当てる。
【００２８】
位置データ５３は、行先ごとに、行先となるテナント等の位置情報と、最寄りのエレベータ４とを行先ごとに対応付けたテーブルである。図７は、実施形態にかかる位置データ５３の一例を示す図である。図７に示すように、位置データ５３は、行先ＩＤと、位置情報と、最寄りエレベータとを対応付けている。
【００２９】
行先ＩＤは、行先となるテナント等の識別情報である。位置情報は、行先となるテナント等の位置を示す情報である。本実施形態では、位置情報は、階と位置との組み合わせで「階−位置」として構成される。ここで、位置は、マップデータで階ごとに予め定められた座標位置を示す。図７の例では、位置情報「２−０１」は、行先ＩＤ「Ａ０００１」のテナントは、２階の位置０１の場所にあることを示している。
【００３０】
最寄りエレベータは、行先ＩＤの行先のテナントに近い降車位置のエレベータの号機を示している。最寄りエレベータが複数登録されている場合には、初めの方から順に、行先ＩＤのテナントに近いものとする。最寄りエレベータは、「ゾーン−号機」で表される。図７の例では、行先ＩＤ「Ａ０００１」のテナントは、最寄りエレベータ「Ｃ−Ｅ」、すなわちＣゾーンのＥ号機のエレベータの降車位置に最も近く、次に、ＣゾーンのＡ号機、次に、ＣゾーンのＦ号機が近いことを示している。
【００３１】
制御部５１は、群管理制御装置２で最適なエレベータ４の候補としてあげられた複数のエレベータの中から、この位置データ５３を参照して、呼び登録信号に含まれる行先情報の行先ＩＤに対応する最寄りエレベータの中で一番近いエレベータ４の乗りかごを割り当てる。
【００３２】
図８は、実施形態１において５階のフロアマップの一例を示す図である。図８において、符号Ｐが呼び登録信号に含まれる行先ＩＤの行先であるとする。制御部５１は、位置データ５３を参照して、行先ＩＤの「Ｚ００６５」に対応する最寄りエレベータ「Ａ−Ａ，Ａ−Ｅ，Ａ−Ｂ」を取得する。そして、Ａゾーンの群管理制御装置２から候補となる最適なエレベータ４を取得して、最寄りエレベータ「Ａ−Ａ，Ａ−Ｅ，Ａ−Ｂ」と比較し、その中で最も降車位置が行先に近いエレベータ４の乗りかごを割り当てる。
【００３３】
例えば、Ａゾーンの群管理制御装置２から候補となる最適なエレベータ４の乗りかごとして、Ａ−Ａ，Ａ−Ｂ，Ａ−Ｃが出力された場合には、制御部５１は、この中で、最寄りエレベータ「Ａ−Ａ，Ａ−Ｅ，Ａ−Ｂ」の中で行先に一番近いＡ−Ａのエレベータ４の乗りかごを利用者に割り当てる。このため、通信部５４は、号機として「Ａ−Ａ」を配車情報として行先登録装置１１に送信する。
【００３４】
例えば、Ａゾーンの群管理制御装置２から候補となる最適なエレベータ４の乗りかごとして、Ａ−Ｂ，Ａ−Ｅ，Ａ−Ｈが出力された場合には、制御部５１は、この中で、最寄りエレベータ「Ａ−Ａ，Ａ−Ｅ，Ａ−Ｂ」の中で行先に一番近いＡ−Ｅのエレベータ４を利用者に割り当てる。このため、通信部５４は、号機として「Ａ−Ｅ」を配車情報として行先登録装置１１に送信する。
【００３５】
群管理制御装置２は、例えば、各エレベータ４の複数の乗りかご５から、各乗りかご５の状態に応じてエレベータ４の乗場からの乗場呼び登録に応答する最適な乗りかご５の候補を決定する群管理制御を実行する。ここで、候補としては１つでもよく、複数でもよい。
【００３６】
群管理制御装置２は、例えば、呼び登録信号に基づいたエレベータ群３の全呼び出し数（総利用者数）やそれぞれの行先階に対する呼び出し数、種々のセンサ、検出器からの出力、乗りかご５の現在位置及び移動方向（昇降方向）、これから発生すると予測される乗場呼び、かご呼び、予測される行先階等の各エレベータ４、各乗りかご５の状態に基づいて、発生した呼びに対して所定の評価演算を行う。そして、群管理制御装置２は、この所定の評価演算に応じて、各乗りかご５が合理的に移動しながらそれぞれの呼びに対して最適に応答するように、乗りかご５の着床順序等を定めて各呼びに応答する乗りかご５の候補を割り当てて、応答する乗りかご５を決定する割当処理を行い、複数の乗りかご５の運行を効率的に割り振り、エレベータ群３全体として効率的な運行サービスを行う。
【００３７】
単体制御装置９は、群管理制御装置２からの割り当てに応じて、巻上機８を駆動制御し、乗りかご５を目的の階床へと移動させる。これにより、各エレベータ４は、乗りかご５が昇降路内を鉛直方向上下に昇降移動し、任意の目的階の乗場に移動する。そして、各エレベータ４は、乗りかご５が目的階の乗場に着床し、所定の着床位置に着床したことが検出され、扉が開放される。これにより、乗場で待機している利用者は、乗りかご５内に乗り込むことが可能となり、また、乗りかご５内の利用者は乗場に降りることが可能となる。
【００３８】
次に、以上のように構成された本実施形態のエレベータ登録処理について説明する。
図９は、実施形態１にかかるエレベータ登録処理の手順の一例を示すフローチャートである。
【００３９】
利用者が建物に来訪して、発行者から入手した来場案内１９の二次元コードを、行先登録装置１１の読取部２２１にかざす。すると、読取部２２１は、二次元コードを読取る（Ｓ１１）。解析部１０１は、読み取られた二次元コードを解析して、行先情報、ゲストＩＤ、発行者アドレスを得る（Ｓ１２）。通信部１０３は、行先情報、ゲストＩＤ、発行者アドレスを呼び登録信号として制御装置５０に送信する（Ｓ１３）。
【００４０】
制御装置５０では、通信部５４が呼び登録信号を受信し、制御部５１が呼び登録信号に含まれる発行者アドレスに対して、ゲストＩＤで示される利用者が建物に来訪した旨のメールを通知する（Ｓ２１）。そして、制御部５１は、群管理制御装置２からエレベータ４の配車の候補を取得する（Ｓ２２）。
次に、制御部５１は、上述したとおり、位置データ５３を参照して、エレベータ４の配車の候補の中から、行先に最も近い降車位置のエレベータ４の乗りかごを配車するものとして割り当てる（Ｓ２３）。通信部５４は、割り当てたエレベータ４の乗りかごの号機を配車情報として行先登録装置１１に送信する（Ｓ２４）。
【００４１】
行先登録装置１１では、通信部１０３が制御装置５０から配車情報を受信する。そして、表示制御部１０２が受信した配車情報、すなわち、利用者に割り当てられたエレベータ４の号機を、表示部２１６に表示する（Ｓ１４）。
【００４２】
このように本実施形態では、セキュリティゲート２２０で利用者が行先情報が登録された二次元コードを読み取らせ、制御装置５０が行先情報に応じて、利用者がセキュリティゲート２２０から行先までの経路が最適となるようにエレベータ４の乗りかごを割り当てる。すなわち、制御装置５０の制御部５１は、行先のある行先階における降車位置から行先までの距離が最短となるエレベータを割り当てて、割り当てたエレベータ４の号機を、セキュリティゲート２２０の行先登録装置１１の表示部２１６に表示させる。このため、本実施形態では、建物に初めてきた来訪者や外部の者であっても、二次元コードをセキュリティゲート２２０で行先登録装置１１の読取部２２１にかざすだけで、最適なエレベータ４の号機を知ることができる。このため、本実施形態によれば、初めての来訪者や外部からの訪問者の場合でも、行先の場所により容易かつより効率的に到着するようにエレベータを配車して、利用者に誘導することができ、利用者の利便性を向上させることができる。
【００４３】
（変形例）
行先までの距離が最短となる降車位置のエレベータ４を割り当てる代わりに、フロアにあるテナント等の場所を示した案内板の位置に最も近い降車位置のエレベータ４を割り当てるように制御部５１を構成してもよい。
【００４４】
図１０は、実施形態１の変形例の行先階のフロアの一例を示す図である。図１０の例では、符号３００が案内板を示す。この例では、案内版の位置情報、最寄りエレベータも位置データ５３に登録しておく。例えば、Ａ−Ｄ，Ａ−Ｈ等を登録しておけばよい。
【００４５】
本変形例では、制御部５１は、群管理制御装置２から取得した配車候補のエレベータ４の中から、案内板３００に近いとして位置データ５３に登録されているエレベータ４を利用者に割り当てる。図１０の例では、案内板３００に近いＡ−ＤやＡ−Ｈ等が割り当てられることになる。
【００４６】
このように本変形例では、フロアにあるテナント等の場所を示した案内板の位置に最も近い降車位置のエレベータ４を割り当てているので、不慣れな訪問者に対して、利便性をより向上させることができる。
【００４７】
（実施形態２）
実施形態２では、制御装置５０は、セキュリティゲート２２０の行先登録装置１１に最も近い位置のエレベータ４の乗りかごを割り当てている。
【００４８】
実施形態２のエレベータシステム１の構成、制御装置５０および行先登録装置１１の構成は実施形態１と同様である。
【００４９】
本実施形態にかかる制御装置５０の制御部５１は、セキュリティゲート２２０の行先登録装置１１に最も近い位置のエレベータ４の乗りかごを割り当てる。このようなエレベータ４として、図２の例では、例えば、Ｂ−Ｈ，Ｃ−Ｄ，Ｂ−Ｄ，Ｃ−Ｈがこの順にセキュリティゲート２２０、すなわち行先登録装置１１に近いエレベータ４として制御装置５０の位置データ５３等に予め登録されている。制御部５１のその他の機能は、実施形態１と同様である。
【００５０】
図１１は、実施形態２のエレベータ登録処理の手順の一例を示すフローチャートである。Ｓ１１からＳ１３、Ｓ２１、Ｓ２２の処理は、実施形態１と同様である。Ｓ２２で、制御部５１が群管理制御装置２から、配車候補となるエレベータ４の号機の情報を取得すると、制御部５１は、当該候補のエレベータ４の中から、予め登録されている行先登録装置１１に近いエレベータ４の乗りかごを割り当てる（Ｓ３３）。そして、通信部５４は、割り当てたエレベータ４の乗りかごの号機を配車情報として行先登録装置１１に送信する（Ｓ２４）。行先登録装置１１では表示部２１６に割り当てたエレベータ４の乗りかごの号機が表示される（Ｓ１４）。
【００５１】
このように本実施形態では、配車候補となるエレベータ４の情報を取得すると、制御部５１は、当該候補のエレベータ４の中で、行先登録装置１１に近いエレベータ４の乗りかごを割り当てるので、初めての来訪者や外部からの訪問者の場合でも、行先の場所により容易かつより効率的に到着するようにエレベータを割り当てて、利用者に誘導することができ、利用者の利便性をより向上させることができる。
【００５２】
（実施形態３）
実施形態３では、制御装置５０は、セキュリティゲート２２０から行先までの移動距離が最短となる乗り場および降車位置のエレベータ４を、利用者に割り当てている。
【００５３】
実施形態３のエレベータシステム１の構成、制御装置５０および行先登録装置１１の構成は実施形態１と同様である。
【００５４】
本実施形態では、制御装置５０の制御部５１は、セキュリティゲート２２０から行先までの移動距離が最短となる乗り場および降車位置のエレベータ４を、利用者に割り当てる。
【００５５】
図１２は、実施形態３において、１階のフロアマップに５階の行先を重畳表示した一例を示す図である。本実施形態にかかる制御装置５０の制御部５１は、図１２に示すように、セキュリティゲート２２０の利用者が二次元コードを読み取らせた行先登録装置１１の位置から、行先Ｐまでの移動で考えられる３つの経路１２０１，１２０２，１２０３のうち、移動距離が最短の経路１２０１を採択する。なお、セキュリティゲート２２０から各行先のテナントまでの経路（例えば、経路１２０１〜１２０３）と、各経路の移動距離は、経路データ等として予め制御装置５０に登録しておく。
【００５６】
そして、制御部５１は、群管理制御装置２から配車候補としてあげられた複数のエレベータ４の中から、最短の経路１２０１に沿って設置されているエレベータ４、すなわち、Ａ−Ａ〜Ａ−Ｈ号機のエレベータ４を選択して割り当てる。制御部５１のその他の機能は、実施形態１と同様である。
【００５７】
図１３は、実施形態３のエレベータ登録処理の手順の一例を示すフローチャートである。Ｓ１１からＳ１３、Ｓ２１、Ｓ２２の処理は、実施形態１と同様である。Ｓ２２で、制御部５１が群管理制御装置２から、配車候補となるエレベータ４の情報を取得すると、制御部５１は、上述したように、当該候補のエレベータ４の中で、セキュリティゲート２２０から行先までの移動距離が最短となる乗り場および降車位置のエレベータ４を利用者に割り当てる（Ｓ４２）。そして、通信部５４は、割り当てたエレベータ４の乗りかごの号機を配車情報として行先登録装置１１に送信する（Ｓ２４）。行先登録装置１１では表示部２１６に割り当てたエレベータ４の乗りかごの号機が表示される（Ｓ１４）。
【００５８】
このように本実施形態では、制御装置５０は、セキュリティゲート２２０から行先までの移動距離が最短となる乗り場および降車位置のエレベータ４を、利用者に割り当てるので、初めての来訪者や外部からの訪問者の場合でも、行先の場所により容易かつより効率的に到着するようにエレベータを割当て、利用者に誘導することができ、利用者の利便性をより向上させることができる。
【００５９】
上記実施形態では、二次元コードに行先情報やゲストＩＤ、発行者アドレスが埋め込まれていたが、これに限定されるものではない。例えば、来訪者ＩＣカードに行先情報やゲストＩＤ、発行者アドレスを登録しておき、セキュリティゲート２２０において行先登録装置１１の読取部２２１がＩＣカードから行先情報やゲストＩＤ、発行者アドレスを読み取るように行先登録装置１１を構成してもよい。
【００６０】
また、セキュリティゲート２２０において、利用者が行先情報等を手入力で操作入力するように行先登録装置１１を構成してもよい。
【００６１】
朝の通勤時間帯、夕方の帰社時間帯、昼食の時間帯は、エレベータ４の昇降の度合いが多くなる。このため、時間帯に応じて、群管理制御装置２から配車候補としてあげられるエレベータ４の中から、通勤、帰社、昼食により移動するエレベータ４の中から行先情報に応じて割り当てるエレベータ４を決定するように制御部５１を構成してもよい。この場合には、時間帯に応じてより最適なエレベータ４の割当てを実現することができ、より利用者の便宜となる。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６３】
（付記）
上記エレベータ登録方法において、割当ステップは、行先のある行先階における降車位置から行先案内を示す案内情報の設置位置までの距離が最短となるエレベータを割り当てる。
上記エレベータシステムにおいて、入力部は、行先情報が登録された二次元コードを読取る読取部と、読み取られた二次元コードを解析して、行先情報を得る解析部と、を備えている。
【符号の説明】
【００６４】
１…エレベータシステム，２…群管理制御装置，９…単体制御装置，１１…行先登録装置、５０…制御装置，５１…制御部，５３…位置データ，５４…通信部（第２の通信部），１０１…解析部（入力部），１０２…表示制御部，１０３…通信部（第１の通信部），２２１…読取部（入力部），２１６…表示部。
【図１】
2017119555.tif 000003
【図２】
2017119555.tif 000004
【図３】
2017119555.tif 000005
【図４】
2017119555.tif 000006
【図５】
2017119555.tif 000007
【図６】
2017119555.tif 000008
【図７】
2017119555.tif 000009
【図８】
2017119555.tif 000010
【図９】
2017119555.tif 000011
【図１０】
2017119555.tif 000012
【図１１】
2017119555.tif 000013
【図１２】
2017119555.tif 000014
【図１３】
2017119555.tif 000015